(57)【特許請求の範囲】
【請求項１】
無線ＬＡＮ機能を備えた録音システムであって、
前記録音システムは、無線ＬＡＮ機能を備えた複数の録音装置と携帯機器からなり、
複数の前記録音装置は、それぞれ、
第１無線ＬＡＮモジュールと、
オーディオ信号を入力する入力手段と、
前記オーディオ信号をデジタル信号に変換するＡ／Ｄ変換手段と、
無線ＬＡＮのアクセスポイントあるいはクライアントのいずれかとして動作するとともに、デジタルオーディオ信号を処理して記録媒体に録音する第１処理手段と、
を備え、複数の前記録音装置のいずれかがアクセスポイントとして動作するとともに、それ以外の録音装置はクライアントとして動作し、
前記携帯機器は、
第２無線ＬＡＮモジュールと、
前記第２無線ＬＡＮモジュールを介してアクセスポイントとして動作する録音装置に対してコマンドを無線送信し、かつ、ステータス情報を無線受信して表示手段に表示する第２処理手段と、
を備え、
アクセスポイントとして動作する前記録音装置の前記第１処理手段は、前記第２処理手段から無線送信されたコマンドに応じて録音を実行し、録音中のステータス情報を前記第２処理手段に送信し、
クライアントとして動作する前記録音装置の前記第１処理手段は、アクセスポイントとして動作する前記録音装置の前記第１処理手段を介して前記第２処理手段から無線送信されたコマンドに応じて録音を実行し、録音中のステータス情報をアクセスポイントとして動作する前記録音装置の前記第１処理手段を介して前記第２処理手段に無線送信し、
前記第２処理手段は、アクセスポイントとして動作する前記録音装置に対して、各前記録音装置に対する録音パラメータを設定する設定コマンドを送信し、
アクセスポイントとして動作する前記録音装置の前記第１処理手段は、前記設定コマンドのうちの自装置に対応する部分に応じて自装置の録音パラメータを設定すると共に、前記設定コマンドをクライアントとして動作する前記録音装置に無線送信し、
クライアントとして動作する前記録音装置の前記第１処理手段は、アクセスポイントとして動作する前記録音装置の前記第１処理手段から無線送信された前記設定コマンドのうちの自装置に対応する部分に応じて自装置の録音パラメータを設定する、
ことを特徴とする無線ＬＡＮ機能を備えた録音システム。
【請求項２】
請求項１記載の無線ＬＡＮ機能を備えた録音システムにおいて、
前記設定コマンドは、各前記録音装置のそれぞれ異なる録音パラメータを設定するコマンドであり、
クライアントとして動作する前記録音装置の前記第１処理手段は、前記アクセスポイントとして動作する前記録音装置とは異なる録音パラメータを設定する、
ことを特徴とする無線ＬＡＮ機能を備えた録音システム。
【請求項３】
請求項１又は２に記載の無線ＬＡＮ機能を備えた録音システムにおいて、
前記携帯機器はスマートフォンである
ことを特徴とする無線ＬＡＮ機能を備えた録音システム。
【発明の詳細な説明】
【技術分野】
【０００１】
本発明は、無線ＬＡＮ機能を備えた録音システムに関する。
【背景技術】
【０００２】
従来から、互いに異なる位置に設置した複数の機器を一元的にコントロールするシステムが種々提案されている。
【０００３】
特許文献１には、画像表示手段付電話機を用いて遠方より屋内の監視ができるようにした監視カメラシステムが記載されている。
【０００４】
特許文献２には、工事現場等の複数の監視カメラをパソコンや携帯端末から操作できるようにした監視カメラシステムが記載されている。  
【先行技術文献】
【特許文献】
【０００５】
【特許文献１】特開２００１−２９２４４２号公報
【特許文献２】特開２００６−２４６４１８号公報
【発明の概要】
【発明が解決しようとする課題】
【０００６】
ところで、近年ではオーディオ信号を録音・再生する録音再生装置に無線ＬＡＮ機能を備えるものが登場しており、かかる無線ＬＡＮ機能付の録音再生装置の用途として、ユーザが直接に操作できない場所に設置した録音再生装置を遠隔操作で制御したいというニーズがある。例えば、コンサート会場やライブ会場等で、観客の歓声に邪魔されないような高所に設置された録音再生装置を制御する場合や、録音に最適な種々の位置に設置された複数の録音再生装置を一元的に制御する場合である。
【０００７】
このような場合、広く普及しているスマートフォンをリモコンとして機能させて録音再生装置を遠隔操作で制御することも提案されているが、複数の録音再生装置を一元的に制御することはできない。
【０００８】
本発明の目的は、広く普及しているスマートフォン等の携帯機器を用いて異なる位置等に設置された複数の録音装置を一元的に制御し、オーディオ信号を効率的に録音することができる録音システムを提供することにある。
【課題を解決するための手段】
【０００９】
本発明は、無線ＬＡＮ機能を備えた録音システムであって、前記録音システムは、無線ＬＡＮ機能を備えた複数の録音装置と携帯機器からなり、複数の前記録音装置は、それぞれ、第１無線ＬＡＮモジュールと、オーディオ信号を入力する入力手段と、前記オーディオ信号をデジタル信号に変換するＡ／Ｄ変換手段と、無線ＬＡＮのアクセスポイントあるいはクライアントのいずれかとして動作するとともに、デジタルオーディオ信号を処理して記録媒体に録音する第１処理手段とを備え、複数の前記録音装置のいずれかがアクセスポイントとして動作するとともに、それ以外の録音装置はクライアントとして動作し、前記携帯機器は、第２無線ＬＡＮモジュールと、前記第２無線ＬＡＮモジュールを介してアクセスポイントとして動作する録音装置に対してコマンドを無線送信し、かつ、ステータス情報を無線受信して表示手段に表示する第２処理手段とを備え、アクセスポイントとして動作する前記録音装置の前記第１処理手段は、前記第２処理手段から無線送信されたコマンドに応じて録音を実行し、録音中のステータス情報を前記第２処理手段に送信し、クライアントとして動作する前記録音装置の前記第１処理手段は、アクセスポイントとして動作する前記録音装置の前記第１処理手段を介して前記第２処理手段から無線送信されたコマンドに応じて録音を実行し、録音中のステータス情報をアクセスポイントとして動作する前記録音装置の前記第１処理手段を介して前記第２処理手段に無線送信し、前記第２処理手段は、アクセスポイントとして動作する前記録音装置に対して、各前記録音装置に対する録音パラメータを設定する設定コマンドを送信し、アクセスポイントとして動作する前記録音装置の前記第１処理手段は、前記設定コマンドのうちの自装置に対応する部分に応じて自装置の録音パラメータを設定すると共に、前記設定コマンドをクライアントとして動作する前記録音装置に無線送信し、クライアントとして動作する前記録音装置の前記第１処理手段は、アクセスポイントとして動作する前記録音装置の前記第１処理手段から無線送信された前記設定コマンドのうちの自装置に対応する部分に応じて自装置の録音パラメータを設定する、ことを特徴とする。
【００１０】
本発明の１つの実施形態では、前記設定コマンドは、各前記録音装置のそれぞれ異なる録音パラメータを設定するコマンドであり、クライアントとして動作する前記録音装置の前記第１処理手段は、前記アクセスポイントとして動作する前記録音装置とは異なる録音パラメータを設定する。
【００１２】
本発明において、前記携帯機器としてスマートフォンを用いることができる。
【発明の効果】
【００１３】
本発明によれば、広く普及しているスマートフォン等の携帯機器を用いて複数の録音装置を一元的に制御し、オーディオ信号を効率的に録音することができる。    
【図面の簡単な説明】
【００１４】
【図１】実施形態の全体構成図である。
【図２】実施形態の全体構成図である。
【図３】実施形態のシステム構成ブロック図である。
【図４Ａ】実施形態の処理フローチャートである。
【図４Ｂ】実施形態の処理フローチャートである。
【図５】実施形態のスマートフォンの画面説明図である。
【図６】実施形態のスマートフォンの画面説明図である。
【発明を実施するための形態】
【００１５】
以下、図面に基づき本発明の実施形態について、ポータブル録音再生装置を例にとり説明する。但し、本発明において、再生機能は必ずしも必須ではない。
【００１６】
図１は、本実施形態の全体構成図である。複数のポータブル録音再生装置（以下、単に録音再生装置と称する）１０ａ、１０ｂ、１０ｃは、無線接続機能を備えた携帯機器と無線でデータを送受する。本実施形態では、無線接続機能を備えた携帯機器としてスマートフォン１２を例示し、無線接続として無線ＬＡＮ、より特定的にはＷｉ−Ｆｉ接続を例示する。Ｗｉ−Ｆｉモジュールを備えたスマートフォンは公知であり、無線ルータ等のアクセスポイントを介してインターネットに接続し得る。
【００１７】
録音再生装置１０ａ、１０ｂ、１０ｃは、互いに異なる位置に設置され、公知の録音再生機能を備え、内蔵マイクやライン入力端子から入力されたオーディオ信号を処理してＳＤカード等の記録媒体に記録し、かつ、ＳＤカードに記録されたオーディオ信号を再生して内蔵スピーカから出力する。また、録音再生装置１０ａ、１０ｂ、１０ｃは、Ｗｉ−Ｆｉモジュールを備え、スマートフォン１２との間でＷｉ−Ｆｉ接続する。
【００１８】
なお、録音再生装置１０ａ、１０ｂ、１０ｃとスマートフォン１２は、それぞれＷｉ−Ｆｉ接続することが望ましいが、スマートフォン１２によってはＷｉ−Ｆｉのクライアント機能のみを有しており、複数のＷｉ−Ｆｉ機器と接続することができない場合がある。この場合には、録音再生装置１０ａ、１０ｂ、１０ｃのいずれか、例えば録音再生装置１０ａとスマートフォン１２がＷｉ−Ｆｉ接続し、残りの録音再生装置１０ｂ、１０ｃは、録音再生装置１０ａとＷｉ−Ｆｉ接続することで間接的にスマートフォン１２と無線接続する。このような接続形態については、さらに後述する。
【００１９】
録音再生装置１０ａ、１０ｂ、１０ｃは、ライブ等でのバンド演奏のオーディオ信号を内蔵マイクあるいは外付けマイクに入力して録音する。スマートフォン１２は、それぞれの録音再生装置１０ａ、１０ｂ、１０ｃに対して制御コマンドを送り、録音開始や録音停止を遠隔制御する。また、スマートフォン１２は、録音再生装置１０ａ、１０ｂ、１０ｃから送信されたステータス情報を受信し、画面に表示する。従って、ユーザは、例えばライブ等の演奏が始まる前に録音再生装置１０ａ、１０ｂ、１０ｃをそれぞれ所望の位置に設置し、あとはスマートフォン１２を操作することでこれらの録音再生装置１０ａ、１０ｂ、１０ｃを遠隔操作して録音することができる。また、ユーザは、スマートフォン１２の画面を視認するだけで、録音再生装置１０ａ、１０ｂ、１０ｃのステータス情報から、それぞれの録音状態を容易に確認することができ、録音中に特定の録音再生装置の録音レベルなどの録音パラメータを遠隔操作で調整することもできる。
【００２０】
図２は、本実施形態の接続関係の一例を示す図である。スマートフォン１２は、録音再生装置１０ａ、１０ｂ、１０ｃのうちのいずれか、例えば録音再生装置１０ａをアクセスポイントとしてＷｉ−Ｆｉ接続する。
【００２１】
他方、スマートフォン１２に対してアクセスポイントとして設定された録音再生装置１０ａ以外の録音再生装置１０ｂ、１０ｃは、Ｗｉ−Ｆｉクライアントに設定され、それぞれ個別に録音再生装置１０ａとＷｉ−Ｆｉ接続する。すなわち、録音再生装置１０ｂは、Ｗｉ−Ｆｉクライアントとして録音再生装置１０ａをアクセスポイントとしてＷｉ−Ｆｉ接続し、録音再生装置１０ｃも、Ｗｉ−Ｆｉクライアントとして録音再生装置１０ａをアクセスポイントとしてＷｉ−Ｆｉ接続する。
【００２２】
録音再生装置１０ａは、録音再生装置１０ｂ、１０ｃをクライアントとして、それぞれのＩＰアドレスを管理するとともに、スマートフォン１２に対して当該ＩＰアドレスを知らせる。スマートフォン１２は、録音再生装置１０ａから受信した録音再生装置１０ｂ、１０ｃのＩＰアドレスを指定して、録音再生装置１０ａを介して録音再生装置１０ｂ、１０ｃにコマンドを送信し、録音再生装置１０ａを介して間接的に録音再生装置１０ｂ、１０ｃを遠隔制御する。
【００２３】
録音再生装置１０ａ、１０ｂ、１０ｃのうちのいずれをアクセスポイントとして機能させるか、あるいはクライアントとして機能させるかはユーザが任意に設定してもよく、アクセスポイント／クライアントの切替は手動で行ってもよい。アクセスポイントモードとクライアントモードの切替は、無線ＬＡＮルータ等において公知であり、録音再生装置１０ａ、１０ｂ、１０ｃはそれぞれモード切替スイッチを備え、ユーザが切替スイッチを手動で設定する。
【００２４】
スマートフォン１２、録音再生装置１０ａ、１０ｂ、１０ｃからなる無線ＬＡＮの各機器のＩＰアドレスは、ユーザが手動で設定してもよく、自動設定してもよい。例えば、アクセスポイントとして機能する録音再生装置１０ａがＤＨＣＰ機能を備え、スマートフォン１２及び録音再生装置１０ｂ、１０ｃのＩＰアドレスを自動的に付与してもよい。この場合、録音再生装置１０ａは、ＤＨＣＰ機能で付与したＩＰアドレスを一括してスマートフォン１２に供給する。
【００２５】
図３は、本実施形態のシステム構成ブロック図である。なお、説明の都合上、録音再生１０ａ及びスマートフォン１２の構成ブロック図のみを示すが、録音再生装置１０ｂ、１０ｃも録音再生装置１０ａの構成と同様である。
【００２６】
録音再生装置１０ａは、Ｗｉ−Ｆｉモジュール２０、内蔵マイク２２、ライン入力端子２４、内蔵スピーカ３０、ディスプレイ３２、操作ボタン３４、システムコントローラ３６、及びＳＤコネクタ４２を備える。
【００２７】
Ｗｉ−Ｆｉモジュール２０は、無線ＬＡＮモジュールであり、スマートフォン１２とのＷｉ−Ｆｉ接続及びデータ送受を行うモジュールである。Ｗｉ−Ｆｉモジュール２０は、操作ボタン３４の操作に応じて起動し、スマートフォン１２とのＷｉ−Ｆｉ接続を確立する。また、Ｗｉ−Ｆｉモジュール２０は、操作ボタン３４の操作に応じてアクセスポイントモードとクライアントモードの間で切り替わる。アクセスポイントモードに設定された場合、Ｗｉ−Ｆｉモジュール２０は、スマートフォン１２をクライアントとしてＷｉ−Ｆｉ接続するとともに、録音再生装置１０ｂ、１０ｃをクライアントとしてＷｉ−Ｆｉ接続する。
【００２８】
内蔵マイク２２は、Ｒチャンネル及びＬチャンネルのステレオマイクであり、演奏された楽器等のオーディオ信号を入力し、インタフェース（Ｉ／Ｆ）２６に出力する。
【００２９】
ライン入力端子２４は、外部機器からのオーディオ信号をライン入力し、インタフェース（Ｉ／Ｆ）２６に出力する。
【００３０】
インタフェース（Ｉ／Ｆ）２６は、内蔵マイク２２あるいはライン入力端子２４からのオーディオ信号をコーデック（ＣＯＤＥＣ）２８に出力する。
【００３１】
コーデック（ＣＯＤＥＣ）２８は、入力されたオーディオ信号をデジタル信号に変換し、圧縮及び符号化を含むイコライザ処理及びエフェクト処理を実行してシステムコントローラ３６に供給する。また、システムコントローラ３６から供給されたオーディオ信号を伸長及び復号化し、アナログオーディオ信号に変換して内蔵スピーカ３０から出力する。コーデック（ＣＯＤＥＣ）２８は、内蔵マイク２２あるいはライン入力端子２４からのオーディオ信号を処理するモジュールと、内蔵スピーカ３０に出力するオーディオ信号を処理するモジュールに分離していてもよい。コーデック（ＣＯＤＥＣ）２８は、複数のプロセッサを備えていてもよく、ＰＬＤ（プログラマブルロジックデバイス）と協働してもよい。
【００３２】
ディスプレイ３２は、ＬＣＤパネルあるいは有機ＥＬパネル等から構成され、録音再生装置１０の各種ステータス情報、例えば録音／再生のタイムカウンタや録音レベルを表示する。
【００３３】
操作ボタン３４は、録音再生装置１０の動作を指示するボタンである。操作ボタン３４には、Ｗｉ−Ｆｉのオン／オフ及びアクセスポイントモード／クライアントモードを切り替えるＷｉ−Ｆｉボタン、録音／再生／停止ボタン、録音レベル調整ボタン、チャンネル（トラック）選択ボタン等が含まれる。操作ボタン３４をジョグダイヤルやディスプレイ３２上のタッチボタンとして構成してもよい。
【００３４】
システムコントローラ３６は、プロセッサ及びメモリで構成され、録音再生装置１０の各部を制御する。システムコントローラ３６は、ＲＯＭ３８に記録された処理プログラムに従い、ＲＡＭ４０をワーキングメモリとして用いて各種処理を実行する。各種処理には、Ｗｉ−Ｆｉモジュール２０の起動／オフ、アクセスポイントモード／クライアントモードの切替制御、スマートフォン１２及び他の録音再生装置との接続確立、内蔵マイク２２あるいはライン入力端子２４から入力されたオーディオ信号の処理、当該オーディオ信号のＳＤカードへの記録、当該オーディオ信号の再生等が含まれる。ＲＯＭ３８には、アクセスポイントとして機能するためのアクセスポイントプログラム、クライアントモードとして機能するためのクライアントプログラムが格納されており、システムコントローラ３６は、操作ボタン３４の切替操作に応じてこれらのプログラムを読み出して、録音再生装置１０ａをアクセスポイントモードあるいはクライアントモードとして動作させる。システムコントローラ３６は、複数のプロセッサを備えていてもよく、ＰＬＤ（プログラマブルロジックデバイス）と協働してもよい。システムコントローラ３６は、コーデック（ＣＯＤＥＣ）２８として機能してもよく、コーデック（ＣＯＤＥＣ）２８とシステムコントローラ２６は一体化してもよい。
【００３５】
ＳＤコネクタ４２には、ＳＤカードが装着される。システムコントローラ３６は、オーディオ信号をＳＤカードに記録することで録音する。また、ＳＤカードに記録されているオーディオ信号を読み出し、コーデック（ＣＯＤＥＣ）２８を介して内蔵スピーカ３０から出力する。
【００３６】
操作ボタン３４がアクセスポイントモードに切り替えられた場合、Ｗｉ−Ｆｉモジュール２０は、スマートフォン１２から各種コマンドを受信するとともに、他の録音再生装置に対してスマートフォン１２から受信した各種コマンドを該当するＩＰアドレスの録音再生装置に転送する。また、自身のステータス情報をスマートフォン１２に送信するとともに、他の録音再生装置から受信したステータス情報をスマートフォン１２に転送する。
【００３７】
また、操作ボタン３４がクライアントモードに切り替えられた場合、Ｗｉ−Ｆｉモジュールは、アクセスポイントに設定された録音再生装置からコマンドを受信するとともに、自身のステータス情報をアクセスポイントに設定された録音再生装置に送信する。
【００３８】
他方、スマートフォン１２は、Ｗｉ−Ｆｉモジュール５０、通信モジュール５２、ディスプレイ５４、操作ボタン５６、システムコントローラ５８を備える。
【００３９】
Ｗｉ−Ｆｉモジュール５０は、無線ＬＡＮモジュールであり、録音再生装置１０ａとのＷｉ−Ｆｉ接続及びデータ送受を行うモジュールである。Ｗｉ−Ｆｉモジュール５０は、操作ボタン５６の操作に応じて起動し、録音再生装置１０とのＷｉ−Ｆｉ接続を確立する。
【００４０】
通信モジュール５２は、電話回線を介してデータを送受する。
【００４１】
ディスプレイ５４は、ＬＣＤパネルあるいは有機ＥＬパネル等から構成され、スマートフォンの各種ステータス情報を表示する。
【００４２】
操作ボタン５６は、スマートフォン１２の動作を指示するボタンである。操作ボタン５６には、Ｗｉ−Ｆｉのオン／オフを切り替えるＷｉ−Ｆｉボタン、公知の電話機能を切り替えるボタン等が含まれる。操作ボタン５６をタッチパネルで構成してもよい。
【００４３】
システムコントローラ５８は、プロセッサ及びメモリで構成され、スマートフォン１２の各部を制御する。システムコントローラ５８は、ＲＯＭ６０に記録された処理プログラムに従い、ＲＡＭ６２をワーキングメモリとして用いて各種処理を実行する。各種処理には、Ｗｉ−Ｆｉモジュール５０の起動／オフ、録音再生装置１０との接続確立、各種コマンドの送受信、ステータス情報の受信、ステータス情報の表示処理が含まれる。システムコントローラ５８は、複数のプロセッサを備えていてもよく、ＰＬＤ（プログラマブルロジックデバイス）と協働してもよい。
【００４４】
システムコントローラ５８は、アクセスポイントモードに切替設定された録音再生装置１０ａにＷｉ−Ｆｉ接続し、各種コマンドを送信する。コマンドには宛先ＩＰアドレスが含まれており、録音再生装置１０ａに対するコマンド、録音再生装置１０ｂに対するコマンド、録音再生装置１０ｃに対するコマンドが含まれる。また、システムコントローラ５８は、録音再生装置１０ａからステータス情報を受信してディスプレイ５４に表示する。録音再生装置１０ａから受信するステータス情報には、録音再生装置１０ｂのステータス情報、録音再生装置１０ｃのステータス情報が含まれる。システムコントローラ５８は、これらのステータス情報を適宜切り替えて、あるいは一括してディスプレイ５４に表示する。
【００４５】
本実施形態では、録音再生装置１０ａ、１０ｂ、１０ｃがアクセスポイントモードとクライアントモードを切り替える切替スイッチを操作ボタン３４として備えているが、録音再生装置１０ａ、１０ｂ、１０ｃ同士が互いに無線通信の範囲内において通信を行い、いずれか一つをアクセスポイントとして自動設定してもよい。例えば、特開２００６−３５２１８８号公報には、 無線ＬＡＮのアクセスポイントとして動作することが可能なアクセスポイント機能部と、無線ＬＡＮのクライアントとして動作することが可能なクライアント機能部と、アクセスポイント機能部又はクライアント機能部を切り替えて動作させる切替部と、取得部と、判定部とを備え、切替部がアクセスポイント機能部を動作させる場合において、アクセスポイント機能部が、無線ＬＡＮのアクセスポイントとして動作するデバイスを、無線ＬＡＮ通信装置を基準とした所定の領域内で検出した場合に、取得部は、検出したデバイスからデバイスの無線ＬＡＮ識別情報を取得し、判定部は、取得したデバイスの無線ＬＡＮ識別情報と、無線ＬＡＮ通信装置の無線ＬＡＮ識別情報と、が互いに一致するか否かを判定し、切替部は、判定部が一致すると判定した場合に、アクセスポイント機能部から切り替えてクライアント機能部を動作させる無線ＬＡＮ通信装置が開示されており、このような技術を用いてもよい。但し、このような技術は例示であって必須ではない。
【００４６】
図４Ａ及び図４Ｂは、本実施形態の処理フローチャートである。説明の都合上、スマートフォン１２、録音再生装置１０ａ、１０ｂのみを示し、録音再生装置１０ａがアクセスポイントとして機能し、録音再生装置１０ｂがクライアントとして機能する場合を示す。
【００４７】
まず、スマートフォン１２と録音再生装置１０ａとの間、及び録音再生装置１０ａと録音再生装置１０ｂとの間でＷｉ−Ｆｉ接続を確立する（Ｓ１０１、Ｓ２０１、Ｓ３０１）。例えば、ユーザが手動で録音再生装置１０ａをアクセスポイントに設定し、録音再生装置１０ｂは録音再生装置１０ａとの通信により自動的にクライアントに設定され、スマートフォン１２は録音再生装置１０ａをアクセスポイントとしてＷｉ−Ｆｉ接続する。スマートフォン１２、録音再生装置１０ａ、１０ｂは一つの無線ＬＡＮを構成し、同一のＳＳＩＤを共有する。無線ＬＡＮが構成された後、スマートフォン１２は、無線ＬＡＮを構成する録音再生装置１０ａ、１０ｂを検索するための無線ＬＡＮパケットを送信する。録音再生装置１０ａは、このパケットに応じて自身に設定されているＩＰアドレスをスマートフォン１２に送信する。また、録音再生装置１０ｂに対してパケットを送信し、録音再生装置１０ｂからこのパケットに応じて返信された録音再生装置１０ｂのＩＰアドレスを中継してスマートフォン１２に送信する。スマートフォン１２は、受信した録音再生装置１０ａ、１０ｂのＩＰアドレスをメモリ（ＲＡＭ６２）に格納する。録音再生装置１０ｂも、スマートフォン１２及び録音再生装置１０ａのＩＰアドレスをメモリに格納する。
【００４８】
次に、スマートフォン１２は、宛先ＩＰアドレスとして録音再生装置１０ａ、１０ｂをそれぞれ設定して、録音パラメータ設定コマンドを録音再生装置１０ａに対して無線送信する（Ｓ１０２）。
【００４９】
録音再生装置１０ａは、スマートフォン１２から送信されたコマンドを受信するとともに、宛先ＩＰアドレスが録音再生装置１０ｂのパケットを中継して録音再生装置１０ｂに送信する（Ｓ２０２）。そして、自身の宛先ＩＰアドレスのパケットに含まれる設定コマンドに基づき、録音パラメータを設定する（Ｓ２０３）。
【００５０】
また、録音再生装置１０ｂは、録音再生装置１０ａから送信されたコマンドを受信するとともに、自身の宛先ＩＰアドレスのパケットに含まれる設定コマンドに基づき、録音パラメータを設定する（Ｓ３０２）。ここで、録音パラメータは、各種の録音条件を規定するためのパラメータであり、録音フォーマット、サンプリング周波数、量子化ビット数、録音レベル、フィルタ、リミッタ、エフェクト等が含まれる。スマートフォン１２は、録音再生装置１０ａ、１０ｂに対して同一の録音パラメータセットを設定するコマンドを送信する他に、それぞれ異なる録音パラメータセットを設定するコマンドを送信してもよい。例えば、録音再生装置１０ａに対しては、
録音フォーマット：ａフォーマット
サンプリング周波数：ｆａｋＨｚ
量子化ビット数：ａビット
録音レベル：ａレベル
フィルタ：ａフィルタ
リミッタ：ａリミッタ
エフェクト：ａエフェクト
を設定するコマンドを送信し、録音再生装置１０ｂには、これと異なる
録音フォーマット：ｂフォーマット
サンプリング周波数：ｆｂｋＨｚ
量子化ビット数：ｂビット
録音レベル：ｂレベル
フィルタ：ｂフィルタ
リミッタ：ｂリミッタ
エフェクト：ｂエフェクト
を設定するコマンドを送信する。勿論、録音パラメータセットではなく、セットを構成する個々のパラメータのいずれか一つあるいは複数を設定してもよい。例えば、録音レベルのみを設定する等である。
【００５１】
録音パラメータセットは、複数セットをスマートフォン１２のメモリに格納しておき、ユーザが録音再生装置１０ａ、１０ｂ用にそれぞれ録音パラメータセットを選択して送信する。
【００５２】
録音パラメータを設定した後、スマートフォン１２は、宛先ＩＰアドレスとして録音再生装置１０ａ、１０ｂをそれぞれ設定して、録音開始コマンドを録音再生装置１０ａに対して無線送信する（Ｓ１０３）。
【００５３】
録音再生装置１０ａは、スマートフォン１２から送信されたコマンドを受信するとともに、宛先ＩＰアドレスが録音再生装置１０ｂのパケットを中継して録音再生装置１０ｂに送信する（Ｓ２０４）。そして、自身の宛先ＩＰアドレスのパケットに含まれる録音開始コマンドに基づき、録音を開始する（Ｓ２０５）。
【００５４】
また、録音再生装置１０ｂは、録音再生装置１０ａから送信されたコマンドを受信するとともに、自身の宛先ＩＰアドレスのパケットに含まれる録音開始コマンドに基づき、録音を開始する（Ｓ３０３）。
【００５５】
録音再生装置１０ａは、録音中のステータス情報、具体的にはタイムカウント値や録音レベルをスマートフォン１２に送信する（Ｓ２０６）。
【００５６】
録音再生装置１０ｂは、宛先ＩＰアドレスをスマートフォン１２として録音中のステータス情報を録音再生装置１０ａに送信する（Ｓ３０４）。録音再生装置１０ａは、録音再生装置１０ｂから受信したパケットを中継してスマートフォン１２に送信する（Ｓ２０６）。
【００５７】
スマートフォン１２は、録音再生装置１０ａから受信した、録音再生装置１０ａのステータス情報、及び録音再生装置１０ｂのステータス情報をディスプレイ５４に表示する（Ｓ１０４）。
【００５８】
次に、図４Ｂにおいて、録音すべき演奏等が終了すると、スマートフォン１２は、宛先ＩＰアドレスとして録音再生装置１０ａ、１０ｂをそれぞれ設定して、録音停止コマンドを録音再生装置１０ａに対して無線送信する（Ｓ１０５）。
【００５９】
録音再生装置１０ａは、スマートフォン１２から送信されたコマンドを受信するとともに、宛先ＩＰアドレスが録音再生装置１０ｂのパケットを中継して録音再生装置１０ｂに送信する（Ｓ２０７）。そして、自身の宛先ＩＰアドレスのパケットに含まれる録音停止コマンドに基づき、録音を停止する（Ｓ２０８）。
【００６０】
また、録音再生装置１０ｂは、録音再生装置１０ａから送信されたコマンドを受信するとともに、自身の宛先ＩＰアドレスのパケットに含まれる録音停止コマンドに基づき、録音を停止する（Ｓ３０５）。
【００６１】
録音再生装置１０ａは、ステータス情報、具体的には録音停止情報をスマートフォン１２に送信する（Ｓ２０９）。
【００６２】
録音再生装置１０ｂは、宛先ＩＰアドレスをスマートフォン１２としてステータス情報を録音再生装置１０ａに送信する（Ｓ３０６）。録音再生装置１０ａは、録音再生装置１０ｂから受信したパケットを中継してスマートフォン１２に送信する（Ｓ２０９）。
【００６３】
スマートフォン１２は、録音再生装置１０ａから受信した、録音再生装置１０ａのステータス情報（録音停止情報）、及び録音再生装置１０ｂのステータス情報（録音停止情報）をディスプレイ５４に表示する（Ｓ１０６）。
【００６４】
図５は、スマートフォン１２のディスプレイ５４に表示されるステータス情報の一例である。録音再生装置１０ａ、１０ｂ、１０ｃそれぞれのステータス情報はディスプレイ５４の下部に表示されるタブ１８０で選択的に切替可能である。ステータス情報として、タイムカウンタ１００及び録音レベル１２０（数値やバーグラフ）が表示される。また、メニューとして、再生ボタン１４０及び録音ボタン１６０が表示される。これ以外に録音停止ボタンを表示してもよい。ユーザは、各録音再生装置１０ａ、１０ｂ、１０ｃのステータス情報を視認することで、録音レベルを容易に確認することができる。また、いずれかの録音再生装置の録音レベルを調整したいと欲する場合には、録音パラメータ設定コマンドを送信して調整することもできる。
【００６５】
図６は、スマートフォン１２のディスプレイ５４に表示されるステータス情報の他の例である。録音再生装置１０ａ、１０ｂ、１０ｃのタイムカウンタ１００及び録音レベル１２０が一括で表示される。ユーザは、この画面を視認することで、全ての録音再生装置の録音レベルを容易に確認できる。
【００６６】
本実施形態では、スマートフォン１２と録音再生装置が１対１でしか接続できない場合について説明したが、スマートフォン１２と録音再生装置１０ａ、１０ｂ、１０ｃが直接的に１対多接続できる場合には、スマートフォン１２をアクセスポイントとし、録音再生装置１０ａ、１０ｂ、１０ｃの全てをクライアントモードに切替えて、スマートフォン１２から録音再生装置１０ａ、１０ｂ、１０ｃのそれぞれにコマンドを送信し、それぞれからステータス情報を受信してディスプレイ５４に表示すればよい。スマートフォン１２にインストールされた所定のアプリケーション（録音再生装置１０の監視や制御に必要なアプリケーション）を起動して「アクセスポイント」あるいは「テザリング」に設定した場合、所定のアプリケーションが録音再生装置１０ａ、１０ｂ、１０ｃにコマンドを送信し、このコマンドに応じて録音再生装置１０ａ、１０ｂ、１０ｃが自動的にクライアントモードに切り替えても良い。あるいは、録音再生装置１０ａ、１０ｂ、１０ｃのデフォルト状態ではクライアントモードとし、スマートフォン１２から特定のコマンドが送信されない場合に、録音再生装置１０ａ、１０ｂ、１０ｃのいずれかをアクセスポイントモードに切替え、残りをクライアントモードのまま維持してもよい。
【００６７】
本実施形態では、無線接続としてＷｉ−Ｆｉ接続を例示したが、ブルートゥース（登録商標）等を用いてもよい。
【符号の説明】
【００６８】
１０ａ、１０ｂ、１０ｃ  録音再生装置、１２  スマートフォン、２０  Ｗｉ−Ｆｉモジュール、２２  内蔵マイク、２４  ライン入力端子、３０  内蔵スピーカ、３２  ディスプレイ、３４  操作ボタン、３６  システムコントローラ、４２  ＳＤコネクタ。
【図１】
0006507634.tif 000002
【図２】
0006507634.tif 000003
【図３】
0006507634.tif 000004
【図４Ａ】
0006507634.tif 000005
【図４Ｂ】
0006507634.tif 000006
【図５】
0006507634.tif 000007
【図６】
0006507634.tif 000008